(57)【要約】      （修正有）【課題】情報端末の盗難や破損、汚損を良好に防止できる情報端末ボックス装置を提供する。【解決手段】情報端末ボックス装置１０は、操作手段１２と操作手段による操作に基づいて情報処理結果を画面表示する表示部１４と、を有する情報端末機１６と、情報端末機が配置され利用者が出入りできる内部空間を有するボックス２０と、ボックスの内部空間１８を表示側空間１８Ａと操作側空間１８Ｂとに仕切るとともに、透明部３８が形成された仕切り壁２２と、を備え、操作手段は、仕切り壁の透明部に近接して配置され、利用者が透明部を介して見る表示部に正対する中央位置から左右に互いに間隔をあけて配置された２つのタッチパッド２４Ｒ、２４Ｌと、２つのタッチパッドのいずれか一方を選択的に操作可能状態に切り換える切換手段２６と、を含む。【選択図】図２
0003224734.tif 000002
【実用新案登録請求の範囲】
【請求項１】
操作手段と該操作手段による操作に基づいて情報処理結果を画面表示する表示部と、を有する情報端末機であり、操作手段が表示部から離隔した位置で利用者が該表示部に正対して操作できる位置に配置された情報端末機と、
情報端末機が配置され利用者が出入りできる内部空間を有するボックスと、
ボックスの内部空間を表示部が配置される表示側空間と操作手段が配置される操作側空間とに仕切るとともに、操作側空間から表示側空間の表示部の画面表示を見るための透明部が形成された仕切り壁と、を備え、
操作手段は、仕切り壁の透明部に近接して配置されるとともに、利用者が透明部を介して見る表示部に正対する中央位置から左右に互いに間隔をあけて配置された２つのタッチパッドと、
左右に配置された２つのタッチパッドのいずれか一方を選択的に操作可能状態に切り換える切換手段と、を含むことを特徴とする情報端末ボックス装置。
【請求項２】
切換手段は、利用者の手動操作でいずれか一方のタッチパッドのみを選択的に操作可能に切り換える手動スイッチを有することを特徴とする請求項１記載の情報端末ボックス装置。
【請求項３】
手動スイッチは、２つのタッチパッドにそれぞれ近接した位置に１個ずつ設置されたことを特徴とする請求項２記載の情報端末ボックス装置。
【請求項４】
２つのタッチパッドは、仕切り壁から操作側空間に突設された突出台の台面上に固定されたことを特徴とする請求項１ないし３のいずれかに記載の情報端末ボックス装置。
【請求項５】
２つのタッチパッドは、仕切り壁の透明部に利用者が顔を近接した状態で操作しうるように該仕切り壁の近接位置に設置されることを特徴とする請求項１ないし４のいずれかに記載の情報端末ボックス装置。
【請求項６】
２つのタッチパッドは、仕切り壁の透明部の壁面から３０ｃｍ以内の位置に設置されることを特徴とする請求項１ないし５のいずれかに記載の情報端末ボックス装置。
【考案の詳細な説明】
【技術分野】
【０００１】
本考案は、利用者の操作に応じて、例えば、不動産情報や観光案内等の種々の情報を取得できる情報端末ボックス装置に関する。
【背景技術】
【０００２】
従来より、商業施設、公共施設、観光地等に、利用者が操作して種々の情報を取得することができる据付型の情報端末が設置され、無料又は有料で利用できるようになっている。このような情報端末はインターネット等の通信回線に接続されたものもあり、取得できる情報も多種多様化している。例えば、特許文献１には、利用者がボックス内に入り、インターネットを利用できる情報端末ボックスが提案されている。特許文献１の情報端末ボックスは、周囲をパネルで囲まれたボックス本体の内部に、所定の高さに設けた天板と、該天板に対向させて設けた椅子と、インターネット接続時間に応じて課金する課金装置とを備えたものであった。さらに近年、不動産業界などでは、人件費の削減や家賃の軽減等のために、不動産情報にアクセスして物件の検索等を行える情報端末を設置した無人店舗が導入されているケースも知られている。無人店舗は、気軽に利用できることから有人の店舗と比較して集客率が高く、次第に広まってきている。
【先行技術文献】
【特許文献】
【０００３】
【特許文献１】特開２００５−８５１００号公報
【考案の概要】
【考案が解決しようとする課題】
【０００４】
しかしながら、特許文献１の情報端末ボックスや従来の据付型の情報端末等を無人店舗で活用する場合には、情報端末を誰でも自由に操作できるとともに、人件費を含む運営コストを抑えることができる反面、管理者が近くにいないことから、管理及び監視が不十分となりがちであった。したがって、設置されている情報端末を故意に又は誤って破壊されたり汚されたり、又は情報端末が盗難される被害にあったりしてしまうおそれが高い問題があった。よって、無人店舗における情報端末に対する防犯対策、破損対策等は重要な課題となっている。
【０００５】
本考案は、上記従来の課題に鑑みてなされたものであり、その一つの目的は、情報端末の盗難や破損、汚損を良好に防止できる情報端末ボックス装置を提供することにある。
【課題を解決するための手段】
【０００６】
上記課題を解決するために本考案は、操作手段１２と該操作手段１４による操作に基づいて情報処理結果を画面表示する表示部１４と、を有する情報端末機１６であり、操作手段１２が表示部１４から離隔した位置で利用者ＵＳが該表示部１４に正対して操作できる位置に配置された情報端末機１６と、情報端末機１６が配置され利用者ＵＳが出入りできる内部空間を有するボックス２０と、ボックス２０の内部空間１８を表示部１４が配置される表示側空間１８Ａと操作手段１２が配置される操作側空間１８Ｂとに仕切るとともに、操作側空間１８Ｂから表示側空間１８Ａの表示部１４の画面表示を見るための透明部３８が形成された仕切り壁２２と、を備え、操作手段１２は、仕切り壁２２の透明部３８に近接して配置されるとともに、利用者ＵＳが透明部３８を介して見る表示部１４に正対する中央位置Ｍから左右に互いに間隔をあけて配置された２つのタッチパッド２４Ｒ、２４Ｌと、左右に配置された２つのタッチパッド２４Ｒ、２４Ｌのいずれか一方を選択的に操作可能状態に切り換える切換手段２６と、を含む情報端末ボックス装置１０から構成される。
【０００７】
また、切換手段２６は、利用者ＵＳの手動操作でいずれか一方のタッチパッド２４Ｒ、２４Ｌのみを選択的に操作可能に切り換える手動スイッチ２４Ｒ、２４Ｌを有することとしてもよい。
【０００８】
また、手動スイッチ５０Ｒ、５０Ｌは、２つのタッチパッド２４Ｒ、２４Ｌにそれぞれ近接した位置に１個ずつ設置されたこととしてもよい。
【０００９】
また、２つのタッチパッド２４Ｒ、２４Ｌは、仕切り壁２２から操作側空間１８Ｂに突設された突出台４２の台面上に固定されたこととしてもよい。
【００１０】
また、２つのタッチパッド２４Ｒ、２４Ｌは、仕切り壁２２の透明部３８に利用者ＵＳが顔を近接した状態で操作しうるように該仕切り壁２２の近接位置に設置されることとしてもよい。
【００１１】
また、２つのタッチパッド２４Ｒ、２４Ｌは、仕切り壁の透明部の壁面から３０ｃｍ以内の位置に設置されることとしてもよい。
【考案の効果】
【００１２】
本考案の情報端末ボックス装置によれば、操作手段と該操作手段による操作に基づいて情報処理結果を画面表示する表示部と、を有する情報端末機であり、操作手段が表示部から離隔した位置で利用者が該表示部に正対して操作できる位置に配置された情報端末機と、情報端末機が配置され利用者が出入りできる内部空間を有するボックスと、ボックスの内部空間を表示部が配置される表示側空間と操作手段が配置される操作側空間とに仕切るとともに、操作側空間から表示側空間の表示部の画面表示を見るための透明部が形成された仕切り壁と、を備え、操作手段は、仕切り壁の透明部に近接して配置されるとともに、利用者が透明部を介して見る表示部に正対する中央位置から左右に互いに間隔をあけて配置された２つのタッチパッドと、左右に配置された２つのタッチパッドのいずれか一方を選択的に操作可能状態に切り換える切換手段と、を含むことから、操作手段が配置された操作側空間と表示部が配置された操作空間とを透明部を有する仕切り壁で仕切ったことにより、表示部等を汚損や盗難から保護しながら無人で運用することができる。さらに、透明部の近接位置に操作手段を配置したので、透明部での反射による映り込みを防止して、透明部を通して良好に表示部の画面を見ながら操作することができる。同時に、操作手段が左右に離隔して配置された２つのタッチパッドを有するので、利用者が透明部に近接した位置であっても、右又は左のいずれかのタッチパッドをスムーズに操作することができる。また、切換手段により、タッチパッドが２つある構成でも、誤操作を生じにくく、円滑な操作性を保持し得る。その結果、不動産会社や各種業種等の無人店舗や無人案内所等として有効に活用することができる。
【００１３】
また、切換手段は、利用者の手動操作でいずれか一方のタッチパッドのみを選択的に操作可能に切り換える手動スイッチを有する構成とすることにより、切換手段を簡単、低コスト構造で実現できるとともに、利用者が２つのタッチパッドの切換操作を簡単に行うことができる。
【００１４】
また、手動スイッチは、２つのタッチパッドにそれぞれ近接した位置に１個ずつ設置された構成とすることにより、利用者が簡単かつ直感的にタッチパッドの選択操作を行え、利便性を向上しうる。
【００１５】
また、２つのタッチパッドは、仕切り壁から操作側空間に突設された突出台の台面上に固定された構成とすることにより、利用者がタッチパッドを操作しやすいととともに、簡単かつ低コストな構造で仕切り壁の近接位置に２つのタッチパッドを配置できる構成を具体的に実現できる。
【００１６】
また、２つのタッチパッドは、仕切り壁の透明部に利用者が顔を近接した状態で操作しうるように該仕切り壁の近接位置に設置される構成とすることにより、利用者が透明部での反射による映り込みを防止又は低減した状態で、良好に表示部の画面表示を見ながら操作することができる。
【００１７】
また、２つのタッチパッドは、仕切り壁の透明部の壁面から３０ｃｍ以内の位置に設置される構成とすることにより、透明部での反射による映り込みしにくいタッチパッドと仕切り壁との配置構成を具体的に実現することができる。
【図面の簡単な説明】
【００１８】
【図１】本考案の第１の実施形態に係る情報端末ボックス装置の内部を見せた縦断面図である。
【図２】図１の情報端末ボックス装置のＡ−Ａ線断面図である。
【図３】図１の情報端末ボックス装置のＢ−Ｂ線断面図である。
【考案を実施するための形態】
【００１９】
以下、添付図面を参照しつつ本考案の情報端末ボックス装置の実施の形態について説明する。本考案の情報端末ボックス装置は、例えば、不動産情報や観光情報等、その他の情報等にアクセスできる情報端末を人が入出できるボックス体の中に設置し、街中等の屋外、又は商業施設や公共施設、駅構内等の屋内に設置して利用される情報提供用ボックス装置である。図１ないし図３は、本考案に係る情報端末ボックス装置の第１の実施形態を示している。本実施形態では、操作手段１２と表示部１４を有する情報端末機１６と、利用者が出入り可能な内部空間１８を有するボックス２０と、ボックス２０の内部空間１８を仕切る仕切り壁２２と、を備える。
【００２０】
情報端末機１６は、操作手段１２と、該操作手段１２による操作に基づいて情報処理結果を画面表示する表示部１４と、を有する情報端末装置である。図１、図２、図３に示すように、本実施形態では、情報端末機１６は、例えば、中央演算処理装置、記憶装置、入力装置、出力装置等を有する従来周知のコンピュータからなる。表示部１４は、コンピュータからなる情報端末機１６の出力装置であり、例えば、画面の大きさが６５インチ程度の比較的大型のディスプレイ等で構成される。本実施形態では、操作手段１２を除く中央演算処理装置や記憶装置等の情報端末機１６の主要構成要素からなる端末機本体１７は、表示部１４と同一の筐体に内蔵されて一体化されている。よって、例えば、情報端末機１６は、表示部１４と端末機本体１７が一体化された画面一体型のコンピュータを有する。表示部１４は、後述のようにボックス２０の内部空間１８の表示側空間１８Ａに配置される。操作手段１２は、コンピュータからなる情報端末機１６の入力装置であり、利用者が表面側を指で接触してスライドさせたりタッチしたりすることによりマウスポインタやアイコン等を操作できる平板状のタッチパッド２４を含む。操作手段１２は、後述のように、左右に並べて設置される２つのタッチパッド２４Ｒ、２４Ｌと、それらの２つのタッチパッド２４Ｒ、２４Ｌのいずれか一方を選択的に操作可能状態に切り換える切換手段２６と、を含む。操作手段１２は、ボックス２０の内部空間１８の操作側空間１８Ｂに配置され、表示部１４から離隔した位置に設置されている。操作手段１２は、例えば、有線又は無線で表示部１４側の端末機本体１７に接続される。
【００２１】
情報端末機１６は、例えば、インターネット等の通信網に接続できる通信部を有し、通信部は表示部１４の筐体に一体的に固定されている。通信部は、モデムを介して光通信回線や無線通信網等に接続されている。本実施形態では、情報端末機１６は、主に不動産情報にアクセスできるように不動産情報が記憶された不動産会社のサーバに通信網を介して接続されており、利用者は、操作手段１２のタッチパッド２４による操作で、表示部１４の画面を見ながら不動産情報を表示したり物件を検索したり、物件の内覧予約や不動産会社へ問合せしたりして、利用することができる。よって、不動産会社のサーバの情報を更新すると、情報端末機１６も最新の情報にアクセスできる。さらに、情報端末機１６には、表示部１４の画面表示結果に対応して、紙に出力するプリンタ２８が接続されている。プリンタ２８は、後述のように、ボックス２０の仕切り壁２２に近接して配置される。なお、情報端末機１６は、プリンタに接続されていなくてもよい。また、情報端末機１６は、例えば、不動産情報の検索結果等の表示結果をメール等で利用者の携帯電話や携帯情報端末機に送信できるようにしてもよい。また、情報端末機１６は、通信部、通信網を介してサーバに接続されていなくてもよく、該情報端末機１６の記憶装置に種々のデータを記憶させておくこととしてもよい。
【００２２】
ボックス２０は、情報端末機１６が設置されるとともに、利用者ＵＳが出入りできる内部空間１８を有している。図１、図２、図３に示すように、ボックス２０は、例えば、略矩形箱状の建物からなり、床３２と、四周を囲むように立設された側壁３４ｆ、３４ｂ、３４ｒ、３４ｌと、上方を覆う屋根３６とが設けられ、内部に閉鎖された内部空間１８が設けられている。ボックス２０の前面側の側壁３４ｆには、開閉扉からなる出入口３０が設けられている。ボックス２０には商用電源が引き込まれており、内部空間１８に設置される情報端末機１６やプリンタ２８等に電源供給されている。ボックス２０は、例えば、内部空間１８が、縦が約１．８ｍ×横が約１．８ｍ×高さが約２ｍ程度の大きさで、内部空間２０内に利用者が１〜２人程度入れるような比較的小さなボックス型の建物で設けられている。ボックス２０の内部空間１８には、図示しない照明や、空調装置が設置されている。なお、ボックス２０は、本実施形態のものに限らず、大きさや形状は任意に設定してもよい。また、ボックス２０は、例えば、簡易組立式、可搬式、固定式等その他任意でもよい。
【００２３】
仕切り壁２２は、ボックス２０の内部空間１８を、情報端末機１６の表示部１４が配置される表示側空間１８Ａと、利用者ＵＳが自由に出入りできるとともに操作手段１２が配置される操作側空間１８Ｂと、に仕切る仕切り手段である。これにより、表示側空間１８Ａに表示部１４と端末機本体１７を設置することで、操作側空間１８Ｂ内に出入りする利用者ＵＳは、表示部１４等を直接触れることができなくなる。その結果、利用者が表示部１４等を故意に又は誤って破壊したり汚したり、盗難したりするのを防止できる。本実施形態では、仕切り壁２２は、内部空間１８において、出入口３０が設けられた前面側の側壁３４ｆと奥側の側壁３４ｂの間の略中央位置で床から天井までを仕切るように、該側壁３４ｆ、３４ｌと略平行に対向して設置されている。仕切り壁２２で仕切った空間では、出入口３０がある前面側の側壁３４ｆ側の空間が操作側空間１８Ｂとなり、奥側の側壁３４ｂ側の空間が表示側空間１８Ａとなる。図１、図２、図３に示すように、仕切り壁２２には、利用者ＵＳが操作側空間１８Ｂから表示側空間１８Ａの表示部１４の画面表示を見るための透明部３８が形成されている。透明部３８は、例えば、透明度が高く、強度が高いポリカーボネートやアクリル樹脂、強化ガラス等からなり、表示部１４の大きさに対応して表示部１４より若干大きなサイズで、仕切り壁２２の上位位置に形成されている。
【００２４】
操作手段１２、表示部１４の配置構成を詳述する。図１、図２、図３に示すように、本実施形態では、上記のようなボックス２０の構造で、内部空間１８に透明部３８を有する仕切り壁２２が設置されており、表示部１４は、表示側空間１８Ａにおいて、奥側の側壁３４ｌの上位位置に、仕切り壁２２の透明部３８と対向して該側壁３４ｂに固定金具４０を介して固定的に設置されている。一方、操作手段１２は、操作側空間１８Ｂにおいて、仕切り壁２２の透明部３８に近接した位置に配置されており、表示部１４から離隔した位置で、かつ利用者ＵＳが該表示部１４に正対して操作できる位置に配置される。本実施形態では、操作手段１２のタッチパッドは、例えば、仕切り壁２２の透明部３８の真下位置に、該仕切り壁２２から操作側空間１８Ｂ側に向けて略水平方向に突設されたカウンター形式の突出台４２の台面上に固定されている。突出台４２は、例えば、床から約９０ｃｍ程度の高さ位置で、仕切り壁２２の壁面からから約２０ｃｍ程度の長さで突設され、大人等の利用者ＵＳが立った状態で、顔を透明部３８に近接した状態で該突出台４２上に設置されたタッチパッド２４を操作できる位置に設けられている。２つのタッチパッド２４Ｒ、２４Ｌは、操作台４２の台面上で、利用者ＵＳが透明部３８を介して見る表示部１４に正対する中央位置Ｍから、左右に互いに間隔をあけて配置されており、利用者ＵＳが透明部３８に近接した位置で右手又は左手でそれぞれ操作しやすい位置に設定されている。
【００２５】
上述のような仕切り壁２２の透明部３８と、操作手段１２のタッチパッド２４Ｒ、２４Ｌと、の配置構成であるので、利用者ＵＳは、透明部３８を介して表示部１４を見ることになるが、表示部１４では明暗様々な画面が表示されることから、表示側空間１８Ａと操作側空間１８Ｂとの明暗差等により、利用者自身や操作側空間１８Ｂの照明や側壁等が該透明部３８に反射して映り込みが生じやすくなる。利用者ＵＳが透明部３８から比較的離れた位置で表示部１４を見ようとすると透明部３８での反射、映り込みにより表示部１４が見にくくなる。よって、利用者ＵＳが透明部３８に比較的近接した位置で表示部１４を見るようにすると、透明部３８の映り込みが軽減或はほとんど無くなるので、上記のように操作手段１２のタッチパッド２４Ｒ、２４Ｌを透明部３８に近接した位置に配置させている。なお、例えば、タッチパッドを、透明部３８に近接した位置でかつ表示部１４に正対する中央位置Ｍに１個だけ配置する構成も考えられるが、そのような１個のタッチパッドだけで構成すると、利用者ＵＳが表示部１４に正対する中央位置にいる場合には腕を深い角度で曲げて窮屈な状態での操作となるので操作性が悪くなったり、操作しやすいように表示部１４に正対する中央位置からずれた位置で操作する場合には、表示部が見にくくなったりする問題が生じる。本実施形態のように、透明部３８に近接して配置した２つのタッチパッド２４Ｒ、２４Ｌを該中央位置Ｍから左右に間隔をあけて配置させたことにより、利用者は右手で操作する際には右側のタッチパッド２４Ｒを操作でき、左手で操作する際には左側のタッチパッド２４Ｌを操作できるようにしている。これにより、利用者が、右利きであっても、左利きであっても、又は、怪我や病気等で片手が不自由な場合であっても、表示部１４を良好に見ながらスムーズにタッチパッドを操作できる。なお、タッチパッド２４Ｒ、２４Ｌの設置位置は、透明部３８による映り込みや利用者の操作性を考慮して設定するとよく、例えば、仕切り壁２２の透明部３８の壁面から３０ｃｍ以内の透明部３８に近接した位置に設置されると良い。また、本実施形態では、利用者ＵＳは立った状態で表示部１４を見ながら操作手段１２を操作できる配置構成の例で説明したが、これに限らず、例えば、利用者が椅子等に座った状態で、透明部３８に顔を近接した状態でタッチパッドを操作できるように透明部３８や突出台４２、表示部１４等の配置構成を設定することとしてもよい。
【００２６】
図１、図２、図３に示すように、左右に配置された２つのタッチパッド２４Ｒ、２４Ｌのいずれか一方を選択的に操作可能状態に切り換える切換手段２６は、本実施形態では、利用者ＵＳの手動操作でいずれか一方のタッチパッド２４Ｒ、２４Ｌのみを選択的に操作可能に切り換える手動スイッチ５０Ｒ、５０Ｌを有する。手動スイッチ５０Ｒ、５０Ｌは、例えば、押しボタンスイッチからなり、仕切り壁２２の操作側空間１８Ｂ側の透明部３８の真下位置の壁面部分であって、且つ、２つのタッチパッド２４Ｒ、２４Ｌにそれぞれ近接した位置に１個ずつ設置されている。よって、右側のタッチパッド２４Ｒに近接位置の手動スイッチ５０Ｒを押すと、右側のタッチパッド２４Ｒのみ操作可能となり、左側のタッチパッド２４Ｌは操作できなくなる。逆に、左側のタッチパッド２４Ｌに近接位置の手動スイッチ５０Ｌを押すと、左側のタッチパッド２４Ｌのみ操作可能となり、右側のタッチパッド２４Ｒは操作できなくなる。なお、例えば、手動スイッチ自体又はその近傍位置に発光ダイオード等のサイン手段を設置してもよく、切換手段２６のスイッチング操作に対応して、操作可能な側のタッチパッドに対応した発光ダイオードを点灯させ、操作不可能な側のタッチパッドに対応した発光ダイオードを消灯させるようにしてもよい。また、切換手段２６は、例えば、シーソースイッチや、スライドスイッチ、その他１個のスイッチで切り換えてタッチパッドを選択できる構成としてもよい。また、切換手段２６は、例えば、突出台４０に設置することとしてもよいし、ソフトウェア的に切り替える構成等、その他任意の構成でもよい。
【００２７】
図１、図２、図３に示すように、仕切り壁２２に近接して、プリンタ２８が設置されており、該仕切り壁２２には、プリンタ２８で出力されるプリント紙の用紙取出部４４が設けられている。プリンタ２８は、例えば、仕切り壁２２の突出台４２の取付位置よりやや下方となる高さ位置で、かつ左右方向の略中央位置に、表示側空間１８Ａに向けて水平方向に突設されているプリンタ台４６の上に載置されている。用紙取出部４４は、仕切り壁２２の突出台４２のやや下方の位置で、該プリンタ台４６に載置されたプリンタ２８の用紙排出口に対応した位置に設けられている。さらに、仕切り壁２２には、鍵により施錠できる開閉可能な点検用扉４８が設けられている。管理者は、点検用扉４８を介して、操作側空間１８Ｂと表示側空間１８Ａとを行き来することができ、必要に応じて、表示側空間１８Ａ内に設置された表示部１４や端末機本体１７やプリンタ２６の点検、プリンタ用紙の補充等を行うことができる。なお、点検用扉４８は、例えば、ボックス２０の左右又は奥側の側壁３４ｒ、３４ｌ、３４ｂに設けることとしてもよい。また、管理者が表示側空間１８と操作側空間１８Ｂを行き来できるように仕切り壁２２全体や透明部３８を開閉可能として、施錠できる構成としてもよい。
【００２８】
本実施形態では、ボックス２０の表示側空間１８Ａの３つの側壁３４ｂ、３４ｒ、３４ｌの内面側と、屋根３６（天井）全体には、遮熱、断熱機能を有する断熱塗料５２が塗装されている。表示側空間１８Ａは、略密閉された空間で形成され、表示部１４と中央演算処理装置や記憶装置等の端末機本体１７が同一筐体で設置されているが、コンピュータからの熱により温度が上昇しやすい。また、ボックス２０が屋外に設置されると、太陽光によりボックスの内部空間１８の温度も上昇しやすい。表示側空間１８Ａ内の温度が上昇すると、表示部１４や端末機本体１７が熱により壊れたり、不具合を生じたりしうる。よって、断熱塗料５２をボックス２０の側壁や屋根３６に塗布することで、ボックス２０の内部空間１８、特に表示側空間１８Ａを遮熱、断熱して、該空間の温度上昇を抑えることができる。断熱塗料５２は、周知のものでよく、本実施形態では、例えば、アクリル樹脂、アクリル中空ビーズ、酸化チタン等を配合した塗料等が利用される。なお、断熱塗料５２は、ボックス２０の全体に塗装してもよいし、仕切り壁２２に塗装することとしてもよい。また、ボックス２０の表示側空間１８Ａの３つの側壁３４ｂ、３４ｒ、３４ｌには、表示側空間１８Ａの熱を逃がすための換気扇５４が設けられている。奥側の側壁３４ｂの換気扇５４は、表示部１４の筐体に隣接して設置されており、効率的に情報端末機１６から発生する熱を逃がすようになっている。
【００２９】
次に、本実施形態に係る情報端末ボックス装置１０の作用について説明する。本実施形態の情報端末ボックス装置１０は、例えば、屋外等に設置されて、不動産情報等にアクセスできる無人店舗として利用される。なお、ボックス２０の屋根や側壁の外面又は内面に不動産会社やその他の看板や広告等を表示することとしてもよい。利用者ＵＳは、出入口３０からボックス２０の内部空間１８の操作側空間１８Ｂに自由に出入りすることができる。操作側空間１８Ｂに入った利用者ＵＳは、仕切り壁２２の操作手段１２の場所まで近付いて、利用者の利き手等に応じて、切換手段２６により、右又は左のタッチパッド２４Ｒ、２４Ｌのどちらで操作するかを選択する。利用者ＵＳは、透明部３８に顔を近接させ該透明部３８に映り込みが生じにくい状態で、透明部３８を通して表示部１４を見ながら、右又は左のタッチパッド２４Ｒ、２４Ｌを操作して、不動産情報にアクセスできる。利用者ＵＳが不動産情報を検索等して、例えば、利用者ＵＳが気に入った物件等が表示されたら、利用者は、タッチパッドを操作して表示画面の内容をプリンタ２８に出力し、用紙取出部４４から物件情報が表示された用紙を取得できる。本実施形態では、操作手段１２が配置された操作側空間１８Ｂと表示部１４が配置された操作空間１８Ａとを透明部３８を有する仕切り壁２２で仕切ったことにより、表示部１４等を汚損や盗難から保護しながら無人で運用することができる。さらに、透明部３８の近接位置に操作手段１２を配置したので、透明部３８での反射による映り込みを防止して、透明部３８を通して良好に表示部１４の画面を見ながら操作することができる。さらに、操作手段１２が左右に離隔して配置された２つのタッチパッド２４Ｒ、２４Ｌを有するので、利用者ＵＳが透明部３８に近接した位置であっても、右又は左のいずれかのタッチパッドをスムーズに操作することができる。また、切換手段２６により、タッチパッドが２つある構成でも、誤操作を生じにくく、円滑な操作性を保持し得る。なお、例えば、ボックス２０には、カメラやマイク等を設置してテレビ電話で遠隔にいる不動産会社のスタッフに問合せできるようにしてもよい。また、ボックス２０内には、防犯カメラや防犯アラーム等の防犯装置を設置することとしてもよい。また、不動産会社のサーバに複数の情報端末ボックス装置１０を接続して、各地に設置するようにしてもよい。また、情報端末機１６は、表示部１４と端末機本体１７とが分離されたタイプでもよい。その際、防犯や破損防止のために、端末機本体１７は表示側空間１８Ａに設置されるとよい。
【００３０】
以上説明した本考案の情報端末ボックス装置は、上記した実施形態のみの構成に限定されるものではなく、実用新案登録請求の範囲に記載した本考案の本質を逸脱しない範囲において、任意の改変を行ってもよい。
【産業上の利用可能性】
【００３１】
本考案の情報端末ボックス装置は、例えば、屋外、観光地、商業施設、公共施設等に好適に設置して利用することができる。
【符号の説明】
【００３２】
１０    情報端末ボックス装置
１２    操作手段
１４    表示部
１６    情報端末機
１８    内部空間
２０    ボックス
２２    仕切り壁
２４Ｒ、２４Ｌ    タッチパッド
２６    切換手段
３８    透明部
４２    突出台
５０Ｒ、５０Ｌ    手動スイッチ
【図１】
0003224734.tif 000003
【図２】
0003224734.tif 000004
【図３】
0003224734.tif 000005